(57)【要約】【目的】本発明は、緑色、青色光線を食料植物に与へ当該植物の体内栄養濃度をつかさどるタンパク質を増加させて、食料植物の生産することを、目的とする。【解決手段】本発明は、緑色、青色光線を夜間植物に与え食料植物体内にタンパク質を増量せしめ、天候不順が、続いても体内栄養濃度のバランスを保持し、植物の生産方法。【選択図】図１１
2011055834.tif 000002
【特許請求の範囲】
【請求項１】
緑色蛍光灯の緑色光線上面部に青色蛍光灯の青色光線を加え植物に照射することによる、植物の体内に蛋白質を増量させた食料植物生産方法。
【請求項２】
青色蛍光灯の青色光線上面部に緑色蛍光灯の緑色光線を加え植物に照射することによる、植物の体内に蛋白質を増量させた食料植物生産方法。
【請求項３】
緑色蛍光灯の緑色光線と青色蛍光灯の青色光線を一平面状に並べ、植物に照射することによる、植物の体内に蛋白質を増量させた食料植物生産方法。
【請求項４】
緑色ＬＥＤの緑色光線上面部に青色ＬＥＤの青色光線を加え植物に照射することによる、植物の体内に蛋白質を増量させた食料植物生産方法。
【請求項５】
青色ＬＥＤの青色光線上面部に緑色ＬＥＤの緑色光線を加え植物に照射することによる、植物の体内に蛋白質を増量させた食料植物生産方法。
【請求項６】
緑色ＬＥＤの緑色光線と青色ＬＥＤの青色光線を一平面状に並べ、植物に照射することによる、植物の体内に蛋白質を増量させた食料植物生産方法。
【請求項７】
緑色蛍光灯の緑色光線を植物に照射することによる、植物の体内に蛋白質を増量させた食料植物生産方法。
【請求項８】
青色蛍光灯の青色光線を植物に照することによる、植物の体内に蛋白質を増量させた食料植物生産方法。
【請求項９】
緑色ＬＥＤの緑色光線を植物に照射することによる、植物の体内に蛋白質を増量させた食料植物生産方法。
【請求項１０】
青色ＬＥＤの緑色光線を植物に照射することによる、植物の体内に蛋白質を増量させた食料植物生産方法。
【発明の詳細な説明】
【技術分野】
【０００１】本発明は、植物が夜間の呼吸作用の時間帯に青色、緑色光を与え植物の体内栄養濃度をつかさどるタンパク質を食料植物の体内に増加させる方法に関する。
【背景の技術】
【０００２】従来、植物の育成期間中に天候不順になると同化作用が低迷になり体内の栄養をつかさどる蛋白質濃度が低下し、収穫量が減少をもたらした。この様な生育のアンバランスさを解決するために炭酸同化作用を高めるための操作や、肥培管理による窒素同化を高める為の操作技術に頼よっていた。
【発明が解決しようとする課題】
【０００３】上記の従来、植物の育成期間中に、天候不順が続くと、植物体内の栄養すなわち蛋白質が減少する原因となり収穫量の減少により苦慮している。
【課題を解決するための手段】
【０００４】天候不順時期にも影響されずに緑色、青色の単独光線や、青色、緑色の複合させた光線を夜間に照射し、食料植物の体内の栄養濃度である、タンパク質濃度を増加させることを特徴とする。
【作用】
【０００５】収穫期や、育苗中の植物の同化作用、呼吸作用に悪影響をもたらすことなく、タンパク質を増加させることが出来る。
【発明の効果】
【０００６】本発明によれば、緑色、青色の単独光線、青と緑色複合色光線利用処理することにより、無理なく且つ、自然な方法で天候に左右されることなく、タンパク質を植物の体内に増加させることにより、生産者にとって、収穫量の増大をもたらし、多大の利益となる。
【０００７】緑色、青色の単独光線、青と緑色複合色光線利用処理することにより植物の体内にタンパク質を増量させた植物を育成し、食料用植物の生産が出来る。又重要食料植物である米、麦、大豆、とうもろこし等の食料植物の蛋白質を増量した生産が出来る。又家畜等の飼料穀物の蛋白質を増量させた穀物の生産が出来る。
【０００８】緑色、青色の単独光線、青と緑色複合色光線利用処理することにより、とまと、きゅうり、ピーマン、すいか、メロン等の果菜類や小松菜、チンゲン菜等の葉菜類植物の体内にタンパク質を増量させ生産の増収を促すことが出来る。
【発明を実施するための形態】
【０００９】  本発明の実施形態を、タンパク質の定量法としては、精度の高い方法として燃焼後に窒素量を測定するデルマ法と、硫酸分解後にアンモニア量を測定するケルダール法等があります。当発明の基準になった測定法は、後者の方法で食料植物の葉柄、葉体や収穫作物をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。食料植物の育成中の葉柄、葉体内や、収穫された作物のケルダール窒素の量すなわち、タンパク質の量が、無照射、緑色のみの光線の照射、青色のみの光線の照射、緑色の光線と青色の光線の組み合わせによる光線の照射等の組み合わせの違いにより、植物の体内のタンパク質の蓄積した量の違いによる効果の違いとしての比較を検証した。
下記、表１は、緑色蛍光灯の緑色光線のみの光線を枝豆植物のサンプル苗５０本に照射をした。
青色蛍光灯の青色光線のみ光線を枝豆植物のサンプル苗５０本に照射をした。
緑色蛍光灯の緑色光線の上面に青色蛍光灯設置し、青色光線と緑色光線とを、同時に光線を枝豆植物のサンプル苗５０本に照射をした。
青色蛍光灯の青色光線の上面に緑色蛍光灯を設置し、緑色光線と青色光線とを、同時に光線を枝豆植物のサンプル苗５０本に照射をした。
蛍光灯無しは、光線照射なしにて、枝豆植物サンプル苗５０本を用意した。
枝豆植物５０本当たりの、緑色光線、青色光線の組み合わせ別による、枝豆植物に照射の違いよる、ケルダール窒素量の比較を表１にて表示した。
尚、ケルダール窒素量は、各サンプル５０本の平均値を表１にて表示した。
表２には、緑色ＬＥＤの緑色光線のみの光線を、枝豆植物のサンプル苗５０本に照射をした。
青色ＬＥＤの青色光線のみ光線を枝豆植物のサンプル苗５０本に照射をした。
緑色ＬＥＤの緑色光線の上面に青色ＬＥＤ設置し、青色光線と緑色光線とを、同時に光線を枝豆植物のサンプル苗５０本に照射をした。
青色ＬＥＤの青色光線の上面に緑色ＬＥＤを設置し、緑色光線と青色光線とを、同時に光線を枝豆植物のサンプル苗５０本に照射をした。
ＬＥＤ無しは、光線照射なしにて、枝豆植物サンプル苗５０本を用意した。
枝豆植物５０本当たりの、緑色光線、青色光線の組み合わせ別による、枝豆植物に照射の違いよる、ケルダール窒素量、枝豆植物の増量の比較を表２にて表示した。
尚、ケルダール窒素量は、各サンプル５０本の平均値を表１にて表示した。枝豆植物に照射の違いよる、５０本当たりの比較を表示した。
表３は、生産農家の枝豆栽培のパイプハウス内にて、枝豆植物収穫開始が６月上旬より収穫を行なっているハウス内にてケルダール窒素量比較を表示した。
実施ハウスに基づき、緑色、青色蛍光灯をハウス内にて、枝豆植物の生産株より１．５ｍの高さに設置し、日没から日の出前までの６０日間による照射の効果が、ケルダール窒素の量すなわちタンパク質の多い、少ないが本圃の収穫株の差に表れた事を実証した。
【０００１０】図面及び実施例、表１、表２、表３に基づき説明する。
図５は、ビニールハウス内にて、育成中の植物枝豆の株１３に、１ｍ高さの位置に日没後から日の出までの夜間に緑色の蛍光灯２０Ｗ、２を照射し、連続６０日照射した後に、ケルダール窒素量を測定１９８ｐｐｍを表示した。
図４は、ビニールハウス内にて、育成中の植物枝豆の苗１３に１ｍ高さの位置に日没後から日の出までの夜間に青色蛍光灯２０Ｗ、１を照射し、連続３０日照射した後に、ケルダール窒素量を測定１７０ｐｐｍを表示した。
図１は、ビニールハウス内にて、育成中の植物枝豆の株１３に、１ｍ高さの位置に日没後から日の出までの夜間に緑色の蛍光灯２０Ｗ、２の緑色光線を照射させ、当該緑色蛍光灯の上面部より０．５ｍの高さより青色蛍光灯２０Ｗ、１を設置し、上部の青色光線と下部の緑色光線を同時に６０日間連続植物いちご株１３を、照射した後ケルダール窒素量を測定２２１ｐｐｍを表示した。
図２は、ビニールハウス内にて、育成中の植物枝豆の株１３に１ｍ高さの位置に日没後から日の出までの夜間に青色蛍光灯２０Ｗ、１の青色光を照射させ、当該青色蛍光灯の上面部より０．５ｍの高さより緑色蛍光灯２０Ｗ、２を設置し、上部の緑色光線と下部の青色光線を同時に６０日間連続植物枝豆の株１３を、照射した後ケルダール窒素量を測定２００ｐｐｍを表示した。
図３は、ビニールハウス内にて、育成中の植物枝豆の株１３に１ｍ高さの位置に日没後から日の出までの夜間に緑色蛍光灯２０Ｗ、２と青色蛍光灯２０Ｗ、１とを一平面状に並べ緑色光線と青色光線を連続６０日照射した後ケルダール窒素量を測定２３０ｐｐｍを表示した。
植物枝豆の株１３の、育成中のビニールハウス内にて、蛍光灯による光線を照射せずに、６０日後ケルダール窒素量を測定８８ｐｐｍを表示した。
以上、蛍光灯光線照射無しの条件にて測定したケルダール窒素８８ｐｐｍと比較すると、緑色のみの光線照射によるケルダール窒素量１９８ｐｐｍ、次に緑色の光線の上面部から青色光線を与え同時照射したケルダール窒素量２２１ｐｐｍ、緑色光線と青色光線を平面状に与え複合させて照射したケルダール窒素量２３０ｐｐｍｍ植物枝豆株１３に１ｍ高さより、緑色蛍光灯の緑色光線の照射と同時に緑色蛍光灯の上面又は、同一平面状に青色蛍光灯の青色光線を同時に、照射すると、緑色光線効果に、青色光線を含ませる事により、多くケルダール窒素量、すなわちタンパク質が増える事がわかる。
【０００１１】  図１０は、ビニールハウス内にて、育成中の植物枝豆の株１５に、０．１ｍ高さの位置に日没後から日の出までの夜間に緑色のＬＥＤ４にて緑色光線を照射し、連続して６０日後ケルダール窒素量を測定１５０ｐｐｍを表示した。
図９は、ビニールハウス内にて、育成中の植物枝豆の株１５に、０．１ｍ高さの位置に日没後から日の出までの夜間青色ＬＥＤ３の青色光線を照射し、連続して６０日後ケルダール窒素量を測定１３０ｐｐｍを表示した。
図６は、ビニールハウス内にて、育成中の植物枝豆の株１５に０．１ｍ高さの位置に日没後から日の出までの夜間緑色ＬＥＤ４の緑色光線を照射し、上面部より０．１ｍの高さから、青色ＬＥＤ３にて青色光を照射し、連続して６０日後ケルダール窒素量を測定１６５ｐｐｍを表示した。
図７は、ビニールハウス内にて、育成中の植物枝豆の株１５に０．１ｍ高さの位置に日没後から日の出までの夜間に、青色ＬＥＤ１の青色光を照射し、当該青色光線の青色ＬＥＤの上面部より０，１ｍ高さより、緑色ＬＥＤ４にて緑色光を照射し、連続して６０日後にケルダール窒素量を測定１５９ｐｐｍを表示した。
図８は、ビニールハウス内にて、育成中の植物枝豆の株１５に０．１ｍ高さの位置に日没後から日の出までの夜間に、緑色ＬＥＤと青色ＬＥＤとを、一平面状に並べ緑色光線と青色光線との光線を複合させて照射し、連続して６０日後ケルダール窒素量を測定１８６ｐｐｍを表示した。
ビニールハウス内にて、ＬＥＤによる育成中の植物枝豆の株１５に青色、緑色ＬＥＤによる光線を照射せずに、６０日後ケルダール窒素量を測定８８ｐｐｍを表示した。
以上、日没後から日の出までの夜間に、緑色、青色ＬＥＤの光線照射無しの条件にて６０日後ケルダール窒素量を測定８８ｐｐｍを表示した、ケルダール窒素量との比較をすると、緑色ＬＥＤ４の緑色光線照射による６０日後ケルダール窒素量１５０ｐｐｍ、次に緑色ＬＥＤ４の緑色光線の上面部から青色ＬＥＤ３の青色光線を同時に照射した６０日後ケルダール窒素量１６５ｐｐｍ、緑色ＬＥＤ光線と青色ＬＥＤ光線を一平面状に設置し、緑色光線と青色光線を同時に照射した６０日後ケルダール窒素量１８６ｐｐｍを表示した。
緑色光線効果が植物枝豆株にとってビニールハウス内にて、育成中の植物枝豆の株５に０．１ｍ高さの位置に日没後から日の出までの夜間に緑色光線の照射による、ケルダール窒素量の増加をした。
緑色ＬＥＤ効果に青色ＬＥＤ光線を含ませると、より多くケルダール窒素量が増す。
しかしながら、前記「００１０」項に記載の蛍光灯の光量と、「００１１」項記載のＬＥＤの光量との光量差がケルダール窒素量に大きな比較差が見受けられた。以上、ケルダール窒素量の差すなわち、枝豆植物の体内のタンパク質量が増加できる生産を実証した。
下記の「実施例」にて説明する。
【実施例】
【０００１２】枝豆植物のハウスにて、実施例に基づき説明する。
間口５．４ｍ長さ４０ｍのパイプハウスにて、図１１は、パイプハウスの立面図である。
ハウス内に定植した枝豆植物苗１６の上面より１．５ｍの高さに緑色の２０Ｗの蛍光灯７をパイプハウスに対し平行に２列設置し、又２列設置した中央に青色の２０Ｗの蛍光灯８をハウスの長手方向に、１列設置した。両側２列に設置した蛍光灯７の緑色の光線と、中央１列に設置した蛍光灯８の青色の光線が、出来るだけ均一に枝豆植物苗に緑色光線と青色光線との複合した緑と青の光線として枝豆株１６を照射させる為に、平面図１２にて表示のごとく、両側２列に設置した緑色２０Ｗ蛍光灯１の間隔を６ｍに設置し、中央１列に設置した青色２０Ｗ蛍光灯８の間隔を１２ｍ間隔に設置し、枝豆定植株１６の上面より１．５ｍの高さに、青色、緑色の全ての蛍光灯を設置した。本圃パイプハウス立面図、図１１、本圃パイプハウス平面図、図１２表示の本圃ハウス内には、本圃に植物枝豆苗を５００本定植した。【０００１３】又前記、記載の青色、緑色の蛍光灯を設置した当該本圃定植パイプハウス間口５．４ｍ長さ４０ｍのハウスより２Ｍ離れた隣の同等の面積を保持したパイプハウス間口５．４ｍ長さ４０ｍハウスには、蛍光灯は、設置せずに、本圃に定植する株５００本定植した。【０００１４】上記「０００１３」にて説明したように青色、緑色の蛍光灯を設置したハウスの定植株と青色、緑色の蛍光灯を設置無しの本圃の枝豆ハウスの定植株とのケルダール窒素量の差すなわち、表１、表２、表３にて表示のごとく、枝豆生産のための青色、緑色光線照射有り、無しによる差が、枝豆植物体内に蛋白質が増減差が表れることを実証した。
【表１】
2011055834.tif 000003
【表２】
2011055834.tif 000004
【表３】
2011055834.tif 000005
【図面の簡単な説明】
【図１】は、緑色蛍光灯２の上面に青色蛍光灯１を設置し枝豆株１３に緑色と青色光線とを照射する模式図。
【図２】は、緑色蛍光灯２の上面に青色蛍光灯１を設置し枝豆株１３に緑色と青色光線とを照射する模式図。
【図３】は、青色蛍光灯１緑色蛍光灯２を一平面上に並べ設置し、枝豆株１３に緑色と青色光線とを照射する模式図。
【図４】は、青色蛍光灯１を枝豆株１３の上面に設置し、青色光線を照射する模式図。
【図５】は、緑色蛍光灯２を枝豆株１３上面に設置し、緑色光線を照射する模式図。
【図６】は、緑色ＬＥＤ４の上面に青色ＬＥＤ３を設置し枝豆株１５に緑色と青色光線とを照射する模式図。
【図７】は、青色ＬＥＤ３の上面に緑色ＬＥＤ４を設置し枝豆株１５に緑色と青色光線とを照射する模式図。
【図８】は、青色ＬＥＤ３と緑色ＬＥＤ４を一平面上に並べ設置し、枝豆株１５に緑色と青色光線とを照射する模式図。
【図９】は、青色ＬＥＤ３を枝豆株１５の上面に設置し、青色光線を照射する模式図。
【図１０】は、緑色ＬＥＤ４を枝豆株１５上面に設置し、緑色光線を照射する模式図。
【図１１】は、パイプハウスの内部両脇に平行に設置した緑色蛍光灯７と中央部に設置した青色の蛍光灯８の配置の立面図。
【図１２】は、パイプハウスの内部両脇に平行に設置した緑色蛍光灯７と中央部に設置した青色の蛍光灯８の配置の平面図。
【符号の説明】１・・・青色蛍光灯、２・・・緑色蛍光灯、３・・・青色ＬＥＤ
４・・・緑色ＬＥＤ，１３・・・枝豆植物苗、１５・・・枝豆植物苗、
１６・・・枝豆定植苗、７・・・緑色蛍光灯  ８・・・青色蛍光灯、
９・・・パイプハウス、
【図１】
2011055834.tif 000006
【図２】
2011055834.tif 000007
【図３】
2011055834.tif 000008
【図４】
2011055834.tif 000009
【図５】
2011055834.tif 000010
【図６】
2011055834.tif 000011
【図７】
2011055834.tif 000012
【図８】
2011055834.tif 000013
【図９】
2011055834.tif 000014
【図１０】
2011055834.tif 000015
【図１１】
2011055834.tif 000016
【図１２】
2011055834.tif 000017